(57)【特許請求の範囲】
【請求項１】
切削対象物から円柱状の試料を採取するための切削装置であって、
ハウジングと、
前記ハウジングに回転自在に支持された回転軸と、
基部が前記回転軸に装着され、前記基部から筒状に延びる筒状ビット部を有する切削ビットと、
前記回転軸を回転駆動させる駆動源と、
前記回転軸および前記切削ビットの前記基部を貫通して、前記切削装置の上部から前記筒状ビット部内まで連通した貫通部と、
を備え、
前記貫通部に中空の管体が挿通可能とされ、
前記貫通部の内周面に、前記回転軸よりも熱伝導率の低い材料から形成されたリング状の管体支持部材が設けられていることを特徴とする切削装置。
【請求項２】
前記管体支持部材により、前記管体が前記回転軸に対し、前記回転軸の中心軸方向に相対移動可能に支持されていることを特徴とする請求項１に記載の切削装置。
【請求項３】
前記管体は、先端部が前記基部から前記筒状ビット部内に突出するよう配置されていることを特徴とする請求項１又は２に記載の切削装置。
【請求項４】
切削対象物から円柱状の試料を採取する試料採取システムであって、
前記切削対象物に対して接近・離間する方向に相対移動可能に設けられたハウジングと、
前記ハウジングに回転自在に支持された回転軸と、
基部が前記回転軸の先端部に装着され、前記基部から筒状に延びる筒状ビット部を有する切削ビットと、
前記回転軸を回転駆動させる駆動源と、
前記切削ビットの前記筒状ビット部内に、外部の液化冷媒供給源から供給される液化冷媒を送り込む冷媒供給管と、
を備えていることを特徴とする試料採取システム。
【請求項５】
前記冷媒供給管の先端部に、前記液化冷媒を前記筒状ビット部の内周壁面に掛ける液化冷媒案内部が形成されていることを特徴とする請求項４に記載の試料採取システム。
【請求項６】
前記液化冷媒案内部として、前記冷媒供給管の前記先端部が、前記筒状ビット部の内周壁に向けて湾曲または折曲して設けられていることを特徴とする請求項５に記載の試料採取システム。
【請求項７】
前記液化冷媒案内部として、前記冷媒供給管の前記先端部に対向して、前記筒状ビット部の中心軸に直交するプレート状のガイド部材が設けられていることを特徴とする請求項５に記載の試料採取システム。
【請求項８】
請求項４に記載の試料採取システムを用いた試料採取方法であって、
前記駆動源により前記回転軸とともに前記切削ビットを回転させつつ、前記ハウジングを前記切削対象物に接近させる工程と、
前記冷媒供給管から前記筒状ビット部内に前記液化冷媒を送り込み、前記切削対象物の少なくとも一部を冷凍固化させながら、前記切削ビットにより前記切削対象物を切削する工程と、
を備えることを特徴とする試料採取方法。
【発明の詳細な説明】
【技術分野】
【０００１】
本発明は、円柱状の試料を採取するのに用いる切削装置、試料採取システム、試料採取方法に関する。
【背景技術】
【０００２】
地中に埋蔵されている鉱物資源や、天然ガス等の炭化水素系資源の調査のため、岩盤や岩塊から試料コアを採取し、この試料コアからさらに円柱状の試料を採取することがある。
このような試料の採取は、円筒状の切削ビットを切削装置の先端に装着し、切削ビットをその中心軸周りに回転させながら岩盤や岩塊から採取した試料コアに押し付け、この試料コアを切削していくことによって行われる。
また、コンクリートなどの人工物でも、たとえばアルカリ度などの組成分布を測定するために同様の処理が行われることがある。
【０００３】
ところで、上記切削ビットのような切削刃で切削を行う際には、切削対象との摩擦によって温度上昇する切削刃の冷却作用、切削対象との摩擦を軽減する潤滑作用、切削対象を切削することによって生じた切り粉の排出作用を得るために、水や油を切削刃と切削対象との間に供給することが広く行われている。
【０００４】
特許文献１には、さらに高い冷却作用を得るため、中空状のドリルビットを通してドリルビット先端部に液化ガスを供給する構成が開示されている。
【０００５】
また、特許文献２には、ビットを先端に有する工具と回転軸とが円筒状に設けられて、回転軸内に、液体窒素やドライアイスを通したり、圧縮ガスを断熱膨張させることで、工具やモータを冷却する構成が開示されている。
【先行技術文献】
【特許文献】
【０００６】
【特許文献１】特開平７−２３７２１４号公報
【特許文献２】特開２００２−５１５８６号公報（段落００６３）
【発明の概要】
【発明が解決しようとする課題】
【０００７】
ところで、岩盤や岩塊から切り出した試料コア等の切削対象から、円筒状の切削ビットでさらに分析用の円柱状の試料を採取する場合に、水や油を用いると、切削対象が砂岩等のもろいものである場合に、水や油が切削対象に浸透し、切削時に切削対象自体が崩れてしまい、試料が採取できないことがある。
また、水や油を切削対象中に浸透すると、サンプルによっては水や油によって試料に含まれる成分が溶解し、内部組成が変わってしまうという問題もある。例えばコンクリートの組成分布を調査する場合、水によるアルカリ分の溶解により特に表面や切削部の組成が変化してしまう恐れがある。
【０００８】
これに対し、特許文献１，２のように、液化ガス、液体窒素、ドライアイス等を用いることによって、上記したような問題は回避可能となっている。
しかし、液化ガス、液体窒素、ドライアイス等の極低温の媒体をドリルビットや工具、回転軸に通すと、ドリルビットや回転軸を回転自在に支持する軸受等が凍結してしまい、損傷してしまうことも考えられる。そこで、これらの部品を、極低温に耐えうるものとしなければならず、その結果、装置コストの上昇を招く。
そこでなされた本発明の目的は、切削対象物から試料を確実に採取するとともに、切削装置の高コスト化を抑えることのできる切削装置、試料採取システム、試料採取方法を提供することである。
【課題を解決するための手段】
【０００９】
本発明は、上記課題を解決するため、以下の手段を採用する。
すなわち、本発明は、切削対象物から円柱状の試料を採取するための切削装置であって、ハウジングと、前記ハウジングに回転自在に支持された回転軸と、基部が前記回転軸に装着され、前記基部から筒状に延びる筒状ビット部を有する切削ビットと、前記回転軸を回転駆動させる駆動源と、前記回転軸および前記切削ビットの前記基部を貫通して、前記切削装置の上部から前記筒状ビット部内まで連通した貫通部と、を備え、前記貫通部に中空の管体が挿通可能とされ、前記貫通部の内周面に、前記回転軸よりも熱伝導率の低い材料から形成されたリング状の管体支持部材が設けられていることを特徴とする。
この切削装置によれば、駆動源により回転軸を回転駆動させることによって切削ビットを回転させながら、切削対象物を切削することで、切削対象物に円筒状の切り込みを形成することができる。貫通部には、中空の管体を挿通させることができる。この中空の管体に、液化窒素、液化アルゴン等の液化冷媒の供給源を接続し、この供給源から液化冷媒を供給すると、切削ビット内に液化冷媒を送り込むことができる。この液化冷媒により、切削ビット内で切削対象物が冷却され、冷凍固化する。また、液化冷媒により、切削ビットと切削対象物との間の潤滑、切削対象物の切削によって生じる切り粉の排出、切削ビットの冷却が行われる。
また、液化冷媒が通る中空の管体が貫通部に挿通されることで、回転軸が液化冷媒に直接接触して冷却されることがなく、回転軸の周囲の軸受等の部品の温度低下を抑えることができる。これにより、軸受等に極低温に対応可能な高価な部品を用いることなく、装置コスト上昇を抑えることができる。
さらに、貫通部の内周面に、回転軸よりも熱伝導率の低い材料から形成されたリング状の管体支持部材が設けられているので、管体を貫通部内で支持しつつ、管体を通る液化冷媒から回転軸への伝熱をさらに抑えることができる。
【００１１】
本発明においては、前記管体支持部材により、前記管体が前記回転軸に対し、前記回転軸の中心軸方向に相対移動可能に支持されているようにしてもよい。
これにより、液化冷媒の供給源に接続される管体は固定状態のまま、ハウジング、回転軸、および切削ビットを切削対象物に接近させて切削を行うことができる。
【００１２】
本発明においては、前記管体は、先端部が前記基部から前記筒状ビット部内に突出するよう配置されているようにしてもよい。
これにより、切削ビットの基部を介して回転軸側が液化冷媒によって冷却されるのを抑えることができる。
【００１３】
本発明は、切削対象物から円柱状の試料を採取する試料採取システムであって、前記切削対象物に対して接近・離間する方向に相対移動可能に設けられたハウジングと、前記ハウジングに回転自在に支持された回転軸と、基部が前記回転軸の先端部に装着され、前記基部から筒状に延びる筒状ビット部を有する切削ビットと、前記回転軸を回転駆動させる駆動源と、前記切削ビットの前記筒状ビット部内に、外部の液化冷媒供給源から供給される液化冷媒を送り込む冷媒供給管と、を備えていることを特徴とする。
この試料採取システムによれば、駆動源により回転軸を回転駆動させることによって切削ビットを回転させながら、切削対象物を切削することで、切削対象物に円筒状の切り込みを形成することができる。冷媒供給管に、液化冷媒供給源から切削ビットの筒状ビット部内に液化冷媒を供給することによって、切削ビット内で切削対象物が冷却され、冷凍固化する。また、液化冷媒により、切削ビットと切削対象物との間の潤滑、切削対象物の切削によって生じる切り粉の排出、切削ビットの冷却が行われる。
また、冷媒供給管を通して液化冷媒を送り込むことによって、回転軸が液化冷媒に直接接触して冷却されることがなく、回転軸の周囲の軸受等の部品の温度低下を抑えることができる。
【００１４】
本発明においては、前記冷媒供給管の先端部に、前記液化冷媒を前記筒状ビット部の内周壁面に掛ける液化冷媒案内部が形成されているようにしてもよい。
これにより、筒状ビット部の内周面に沿って液化冷媒を流すことができる。
【００１５】
また、本発明においては、前記液化冷媒案内部として、前記冷媒供給管の前記先端部が、前記筒状ビット部の内周壁に向けて湾曲または折曲して設けられているようにしてもよい。
これにより、筒状ビット部の内周面に沿って液化冷媒を流すことができる。
【００１６】
本発明においては、前記液化冷媒案内部として、前記冷媒供給管の前記先端部に対向して、前記筒状ビット部の中心軸に直交するプレート状のガイド部材が設けられているようにしてもよい。
これによっても、ビット部の内周面に沿って液化冷媒を流すことができる。
【００１７】
本発明は、上記した試料採取システムを用いた試料採取方法であって、前記駆動源により前記回転軸とともに前記切削ビットを回転させつつ、前記ハウジングを前記切削対象物に接近させる工程と、前記冷媒供給管から前記筒状ビット部内に前記液化冷媒を送り込み、前記切削対象物の少なくとも一部を冷凍固化させながら、前記切削ビットにより前記切削対象物を切削する工程と、を備えることを特徴とする。
この試料採取方法によれば、切削ビット内で切削対象物が冷却され、冷凍固化するので、切削対象が崩れるのを防いで試料を確実に採取できる。
【発明の効果】
【００１８】
本発明によれば、切削対象物から試料を確実に採取するとともに、切削装置の高コスト化を抑えることが可能となる。
【図面の簡単な説明】
【００１９】
【図１】本実施形態にかかる試料採取システムの構成を示す立断面図である。
【図２】図１に示した試料採取システムで切削対象物を切削している状態を示す立断面図である。
【図３】図１に示した試料採取システムで切削対象物の切削が完了した状態を示す立断面図である。
【図４】本実施形態にかかる試料採取システムの他の例を示す立断面図である。
【図５】本実施形態にかかる試料採取システムのさらに他の例を示す立断面図である。
【発明を実施するための形態】
【００２０】
以下、添付図面を参照して、本発明による切削装置、試料採取システム、試料採取方法を実施するための形態を説明する。しかし、本発明はこの実施形態のみに限定されるものではない。
図１は、本実施形態にかかる試料採取システムの構成を示す立断面図である。図２は、図１に示した試料採取システムで切削対象物を切削している状態を示す立断面図である。図３は、図１に示した試料採取システムで切削対象物の切削が完了した状態を示す立断面図である。
図１に示すように、試料採取システム１０は、切削装置２０と、切削装置２０に液体窒素等の液化冷媒を供給する液化冷媒供給装置６０と、を備えている。
【００２１】
切削装置２０は、基台２１と、切削装置本体３０と、を備えている。
基台２１は、その上面に切削対象物１００を載置できるようになっている。基台２１の上方には、プレート状のステージ２３が基台２１の上面２１ａと平行に配置されている。このステージ２３は、基台２１から直交して上方に延びるガイド支柱２４に沿って移動自在に設けられている。ステージ２３は、不図示のステージ駆動機構によってガイド支柱２４に沿って移動し、これによって、基台２１に対して接近・離間する方向に昇降可能とされている。
【００２２】
切削装置本体３０は、ステージ２３に支持されたハウジング３１と、ハウジング３１に回転自在に支持され、先端部に切削ビット５０が着脱自在に装着される回転軸３２と、回転軸３２を回転駆動させるモータ（駆動源）３３と、を備えている。
【００２３】
ハウジング３１は、上下方向に延びる中心軸Ｃに沿って連続する筒状をなしている。ハウジング３１の上下方向中間部の外周面には、外周側に張り出すフランジ部３１ｆが形成されている。ハウジング３１は、ステージ２３に形成された貫通孔２３ｈに挿入され、フランジ部３１ｆがステージ２３の上面２３ａに突き当たり、下端部３１ｃがステージ２３よりも下方に突出した状態で設けられ、さらに図示しない複数のボルトなどからなる連結手段で、ステージ２３とハウジング３１は固定される。
【００２４】
また、ハウジング３１の内周面の上部と下部には、円環状の軸受３７，３７の外輪３７ａ，３７ａが嵌め込まれている。上下の軸受３７，３７間には、筒状のスペーサ３４Ｓが設けられている。このスペーサ３４Ｓにより、上下の軸受３７，３７の間隔が一定に保持されている。
さらに、ハウジング３１の上部開口３１ａ、下部開口３１ｂには、中央部に貫通孔３５ｈ，３６ｈが形成された上部キャップ３５，下部キャップ３６が取り付けられている。上部キャップ３５，下部キャップ３６が上下の軸受３７，３７に突き当たることで、軸受３７，３７の上下方向における位置が固定されている。
【００２５】
回転軸３２は、上下方向に延びる中心軸Ｃに沿って連続し、ハウジング３１内の軸受３７，３７の内輪３７ｂ，３７ｂに嵌め込まれることにより、ハウジング３１の中心軸Ｃ周りに回動自在に支持されている。この回転軸３２は、その下端部が、下部キャップ３６の貫通孔３６ｈを通してハウジング３１の下方に突出する長さを有している。
また、上部キャップ３５と、回転軸３２には、その中央に上下方向に連続するチューブ挿通孔３８Ａ，３８Ｂが貫通形成されている。チューブ挿通孔３８Ａ，３８Ｂには、後述する冷媒供給チューブ６１が挿通される。チューブ挿通孔３８Ａ，３８Ｂには、ナイロン樹脂等、回転軸３２よりも摩擦係数および熱伝達率の低い材料からなる円筒状のパイプガイド（管体支持部材）３９が必要に応じて設けられている。
【００２６】
以下の駆動機構は、上述の通り、回転軸３２内に連続するチューブ挿入孔３８Ａ，３８Ｂを形成し、かつ、回転軸３２を回転させるものであれば特に限定されるものではない。
たとえば回転軸３２において、ハウジング３１よりも下方に突出した部分には、従動プーリ４０が設けられている。
回転軸３２を回転駆動させるモータ３３は、ステージ２３上において、回転軸３２の中心軸Ｃに直交する方向にオフセットして、ハウジング３１に隣接した位置に固定されている。モータ３３の駆動軸３３ｓは、ステージ２３に形成された貫通孔２３ｉを通してステージ２３の下方に突出している。駆動軸３３ｓには、円板状の駆動プーリ４１が設けられている。
そして、回転軸３２の従動プーリ４０と、モータ３３の駆動プーリ４１との間には、駆動ベルト４２が架け渡されている。このようなモータ３３、駆動プーリ４１、従動プーリ４０、駆動ベルト４２からなる駆動機構において、モータ３３を作動させると、モータ３３の駆動軸３３ｓの回転が駆動プーリ４１、駆動ベルト４２、従動プーリ４０を介して回転軸３２に伝達され、回転軸３２が中心軸Ｃ周りに回転駆動される。
このように、回転軸３２の中心軸から側方にオフセット配置し、回転軸３２を駆動させる動力源を設けることで、回転軸３２内にチューブを挿通する構造を容易に実現できる。
【００２７】
また、回転軸３２の下端部（先端部）には、切削ビット５０を装着するビット装着部４５が設けられている。ビット装着部４５は、所定の規格に対応した形状を有したチャックや、ネジ部によって形成することができる。このビット装着部４５には、切削ビット５０の頭部（基部）５１を装着するための装着凹部４５ａが形成されている。この装着凹部４５ａには、回転軸３２のチューブ挿通孔３８Ｂの下端部が開口している。
【００２８】
切削ビット５０は、装着凹部４５ａに嵌まり込むチャックやネジ部を有した頭部５１と、頭部５１から円筒状に延びる筒状ビット部５２とを有している。
ここで、頭部５１は、その外形形状が、チャックやネジ部を有した装着凹部４５ａに嵌まり込むよう形成されている。筒状ビット部５２は、頭部５１の下端部に一体に形成された円板状のプレート部５２ａと、プレート部５２ａの外周部から、頭部５１とは反対側に延びる円筒状の周壁部５２ｂと、周壁部５２ｂの先端部に周方向に連続して形成された切削刃部５２ｃと、を有している。プレート部５２ａおよび周壁部５２ｂは、その外径が、頭部５１および回転軸３２よりも大きくなるよう形成されている。
また、切削ビット５０の頭部５１には、切削ビット５０を装着凹部４５ａに装着した状態で一端がチューブ挿通孔３８Ｂに連続し、他端が筒状ビット部５２内に臨むよう、ビット側チューブ挿通孔４４が形成されている。
【００２９】
このようにして、切削装置本体３０には、上部キャップ３５と回転軸３２に貫通形成されたチューブ挿通孔３８Ａ，３８Ｂと、切削ビット５０の頭部５１に形成されたビット側チューブ挿通孔４４とによって、上下方向に貫通するチューブ挿通部（貫通部）４６が形成されている。
【００３０】
液化冷媒供給装置６０は、チューブ挿通部４６に挿通された冷媒供給チューブ（中空の管体、冷媒供給管）６１と、液化冷媒を貯蔵した液化冷媒供給源６２と、液化冷媒供給源６２と冷媒供給チューブ６１とを連結する連結配管６３と、連結配管６３に設けられた開閉バルブ６４と、を備えている。冷媒供給チューブ６１は、上下方向に所定長を有した、例えば断面円形の鋼製チューブからなり、チューブ挿通部４６を貫通し、その先端部６１ｂが、切削ビット５０の筒状ビット部５２の内方に突出し、上端部６１ａが回転軸３２よりも上方に突出するよう設けられている。
ここで、冷媒供給チューブ６１は、チューブ挿通孔３８Ａ，３８Ｂ内において上下に設けられたパイプガイド３９，３９により、上下方向に相対移動可能であるとともに、中心軸Ｃ周りに相対回動自在な状態で支持されている。この冷媒供給チューブ６１は、不図示のステー等を介して、基台２１に固定的に設けられている。つまりステージ２３とともに、切削装置本体３０のハウジング３１、回転軸３２、モータ３３が昇降・回転しても、冷媒供給チューブ６１はこれらと一体には昇降・回転せず、固定されている。このため、冷媒供給チューブ６１は、前記のパイプガイド３９により、回転軸３２の昇降による上下方向への相対移動と、回転軸３２の相対回転とを許容できる構成となっている。
【００３１】
冷媒供給チューブ６１は、その上端部６１ａに接続された連結配管６３を介して、液化冷媒を貯蔵したボンベやタンク等の液化冷媒供給源６２に接続されている。本実施形態において、液化冷媒供給源６２には、液化冷媒として、液化窒素または液化アルゴンが貯蔵されている。
連結配管６３には、開閉バルブ６４が備えられており、液化冷媒供給源６２からの液化冷媒の供給を断続できるようになっている。
【００３２】
次に、上記したような構成からなる試料採取システム１０における切削対象物１００からの試料切り出し方法について説明する。
試料採取システム１０において、切削対象物１００から試料を切り出すには、まず、基台２１上に切削対象物１００とベース板１１０を固定保持手段（図示せず）でセットする。このとき、ステージ２３は上昇させておき、切削ビット５０を切削対象物１００の切削位置の上方に退避させておく。冷媒供給チューブ６１は、例えば先端部６１ｂを切削対象物１００に近付けた状態で固定しておく。
【００３３】
次いで、モータ３３を作動させることによって、回転軸３２とともに切削ビット５０を中心軸Ｃ周りに回転駆動させる。
また、開閉バルブ６４を開き、液化冷媒供給源６２から連結配管６３を介し、冷媒供給チューブ６１の先端部６１ｂから、液化冷媒を切削ビット５０の筒状ビット部５２の内方に噴出させる。液化冷媒の噴出は、切削刃部５２ｃを切削対象物１００に近付けてから行うとよい。
そして、ステージ２３を下降させていき、切削ビット５０の切削刃部５２ｃで切削対象物１００を切削する。このとき、切削装置本体３０およびモータ３３がステージ２３とともに下降するのに対し、冷媒供給チューブ６１は下降しない。
【００３４】
図２に示すように、切削刃部５２ｃを回転させながら下降させていくことによって、切削対象物１００には、円筒状の切れ目１０１が形成されていく。
このとき、切削ビット５０内に噴出される液化冷媒により、切削ビット５０の内方の切削対象物１００が冷却される。液化冷媒に、極低温の液化窒素を用いることによって、切削中に、切削対象物１００が冷凍されて固化する。溢れ出た液化冷媒と切りくずはオイルパン様のガイド手段１１１で周囲への散乱を防止し、排出口１１２よりバキュームで吸い取る。
なお、液化冷媒はコストおよび温度から、通常液体窒素を用いるが、用途によっては液体アルゴンやヘリウムを用いることを妨げるものではない。
【００３５】
図３に示すように、切削刃部５２ｃが切削対象物１００の上面に接触してから下方に所定寸法下降した時点で、ステージ２３を上昇させ、切削ビット５０の切削刃部５２ｃを切れ目１０１から引き抜く。
そして、モータ３３の作動を停止し、回転軸３２および切削ビット５０の回転を停止させる。これとともに、開閉バルブ６４を閉じ、液化冷媒の切削ビット５０内への噴出を停止させる。
【００３６】
しかる後、切削対象物１００において、円筒状に形成された切れ目１０１の下方の部分を抜き取ることによって、円柱状の試料１０２が採取できる。
【００３７】
上述したようにして、切削ビット５０の内方に液化冷媒を供給することにより、切削対象物１００を冷凍固化させて、切削中に崩れたり、切削対象物１００に含まれる水溶性の高いものが溶解するのを防ぐことができ、円柱状の試料１０２を確実に採取することができる。
【００３８】
また、回転軸３２を回転駆動させるモータ３３を、回転軸３２とは同軸上に配置せずに、回転軸３２の側方に配置する構成としたことで、チューブ挿通孔３８Ａ，３８Ｂおよびビット側チューブ挿通孔４４からなるチューブ挿通部４６を形成し、ここに冷媒供給チューブ６１を挿通させることが可能となっている。そして、液化冷媒は、ステンレス製の冷媒供給チューブ６１を通るため、回転軸３２や軸受３７が直接冷却されず、これらが凍結するのを抑えることができる。これにより、切削装置本体３０の損傷を防ぎ、切削装置本体３０の信頼性を向上させるとともに、軸受３７の凍結を抑えて、軸受３７の部品コスト上昇を抑えることができる。
加えて、冷媒供給チューブ６１は、回転軸３２よりも熱伝達率の低い材料からなるパイプガイド３９を介してハウジング３１に支持されている。このため、冷媒供給チューブ６１内の液化冷媒の熱がハウジング３１側に伝わりにくく、この点においても、回転軸３２や軸受３７の凍結を確実に防ぐことができる。
【００３９】
さらに、液化冷媒により、切削ビット５０の冷却作用、切削ビット５０と切削対象物との間の潤滑作用、切り粉の排出作用も得られる。
【００４０】
（その他の実施形態）
なお、本発明の切削装置、試料採取システム、試料採取方法は、図面を参照して説明した上述の各実施形態に限定されるものではなく、その技術的範囲において様々な変形例が考えられる。
例えば、冷媒供給チューブ６１の先端部６１ｂから、液化冷媒を切削ビット５０内に噴出するようにしたが、図４に示すように、液化冷媒案内部８０として、先端部６１ｂを切削ビット５０の周壁部５２ｂの内周面に向けて湾曲または折曲させて設けてもよい。これにより、冷媒供給チューブ６１の先端部６１ｂから、液化冷媒がビット５０の周壁部５２ｂに向けて噴出される。
すると、液化冷媒は、回転する切削ビット５０の周壁部５２ｂの全周に掛けられつつ周壁部５２ｂに沿って下方に流れ、切削ビット５０がより効率良く冷却されるとともに、液化冷媒により切削対象物１００の切れ目１０１の外周側から冷凍固化させることができる。したがって、切削対象物１００から採取される試料１０２の外周部を確実かつ効率良く冷却することができる。
【００４１】
また、図５に示すように、冷媒供給チューブ６１の先端部６１ｂを下方に向けつつ、先端部６１ｂの鉛直下方に、液化冷媒が切削ビット５０の周壁部５２ｂに向けて流れるように、液化冷媒案内部８０として、冷媒供給チューブ６１および切削ビット５０の中心軸Ｃに直交するプレート状のガイド部材７０を設けるようにしてもよい。これによっても、冷媒供給チューブ６１の先端部６１ｂから噴出された液化冷媒は、回転する切削ビット５０の周壁部５２ｂの全周に掛けられつつ周壁部５２ｂに沿って下方に流れるようになる。このような構成においても、切削対象物１００から採取される試料１０２の外周部を確実かつ効率良く冷却することができる。
【００４２】
これ以外にも、例えば冷媒供給チューブ６１の先端部を複数に分岐させたり複数の開口を形成してこれらを切削ビット５０の周壁部５２ｂに向ける等、適宜の構成の液化冷媒案内部８０により、液化冷媒を切削ビット５０の周壁部５２ｂに向けて案内するようにしてもよい。
【００４３】
上記実施形態においては、回転軸３２をモータ３３によって一方向にのみ回転させるようにしたが、モータ３３の制御により、回転軸３２および切削ビット５０の回転方向を一方向と他方向とに切り替えるようにしてもよい。
また、モータ３３の回転を、従動プーリ４０、駆動プーリ４１、駆動ベルト４２を介して回転軸３２に伝達するようにしたが、これに限らず、ギヤ（歯車）等を介して伝達するようにしてもよい。
【００４４】
また、冷媒供給チューブ６１を、回転軸３２および切削ビット５０に対して上下方向に相対移動自在に支持するようにしたが、例えば、連結配管６３を、可撓性を有する材料で形成するようにすれば、冷媒供給チューブ６１を、回転軸３２および切削ビット５０に対して固定的に設け、これらと一体に移動するようにすることもできる。
冷媒供給チューブ６１を液化冷媒供給装置６０から分離して切削装置２０に含めた構成としてもよい。
【００４５】
さらに、上記実施形態で説明した試料採取システム１０の一連の動作は、試料採取システム１０をオペレータが手動操作することによって実施してもよいし、試料採取システム１０の制御部（不図示）に予め記憶されたコンピュータプログラムに基づいて自動的に実施されるようにしてもよい。
加えて、上記実施形態では、試料採取システム１０において、基台２１上にセットした岩塊を切削対象物１００として、円柱状の試料１０２を採取するようにしたが、地盤を形成する岩盤を切削対象物１００として、上記切削装置２０により円柱状の試料１０２を採取するようにしてもよい。
また、切削対象物１００の種類については、何ら限定するものではない。
これ以外にも、本発明の主旨を逸脱しない限り、上記実施の形態で挙げた構成を取捨選択したり、他の構成に適宜変更することが可能である。
【符号の説明】
【００４６】
１０  試料採取システム
２０  切削装置
３１  ハウジング
３２  回転軸
３３  モータ（駆動源）
３９  パイプガイド（管体支持部材）
４６  チューブ挿通部（貫通部）
５０  切削ビット
５１  頭部（基部）
５２  筒状ビット部
６１  冷媒供給チューブ（中空の管体、冷媒供給管）
７０  ガイド部材
８０  液化冷媒案内部
１００  切削対象物
【図１】
0005871241.tif 000002
【図２】
0005871241.tif 000003
【図３】
0005871241.tif 000004
【図４】
0005871241.tif 000005
【図５】
0005871241.tif 000006